(57)【要約】【課題】  電極となる端子金具をコアに嵌合装着する構造であっても前記端子金具のガタつきを無くし、ワイヤ接続部の信頼性向上が図れる表面実装型コイル部品を提供する。【解決手段】  コア２１の方形鍔部２３に端子金具３０を嵌合して設け、コア２１に巻回された巻線の端末を端子金具３０に接続した表面実装用コイル部品であって、端子金具３０は上面部３０ｂ及び底面部３０ｃ及びそれらを連絡する側面部３０ａとを有し、前記巻線の端末を機械的及び電気的に接続する継線部３２を有し、コア２１の端部に対する抜け止め部を上面部３０ｂ及び底面部３０ｃに備えるとともに、前記側面部３０ａには前記方形鍔部２３を押圧する押圧部としてポッチ部３３を形成している。【選択図】        図１
2005317577.tif 000002
【特許請求の範囲】
【請求項１】
磁性又は非磁性コアの端部に端子金具を嵌合して設け、前記コアに巻回された巻線の端末を前記端子金具に接続した表面実装用コイル部品であって、
前記端子金具は第１の折曲部及び第２の折曲部及び該第１及び第２の折曲部を連絡する側面部とを有しかつ前記第１及び第２の折曲部が相互に対向した形状で、前記巻線の端末を機械的及び電気的に接続する継線部を有し、前記コアの端部に対する抜け止め部を前記第１及び第２の折曲部に備えるとともに、前記側面部には前記コアの端部を押圧する押圧部を備えることを特徴とする表面実装型コイル部品。
【請求項２】
前記押圧部は、前記コアの端部に対面して前記側面部の長手方向に略直交する方向に複数の凸部を設けたものである請求項１記載の表面実装型コイル部品。
【請求項３】
前記押圧部は、前記コアの端部に対面して前記側面部の長手方向に略直交する方向に連続した突条を設けたものである請求項１記載の表面実装型コイル部品。
【請求項４】
前記押圧部は、前記側面部における長手方向の略中間に位置している請求項１，２又は３記載の表面実装型コイル部品。
【請求項５】
磁性又は非磁性コアの端部に端子金具を嵌合して設け、前記コアに巻回された巻線の端末を前記端子金具に接続した表面実装用コイル部品であって、
前記端子金具は第１の折曲部及び第２の折曲部及び該第１及び第２の折曲部を連絡する側面部とを有しかつ前記第１及び第２の折曲部が相互に対向した形状で、前記巻線の端末を機械的及び電気的に接続する継線部を有し、前記コアの端部に対する抜け止め部を前記第１及び第２の折曲部に備えるとともに、前記コアの端部には前記端子金具を押圧する押圧部を備えることを特徴とする表面実装型コイル部品。
【請求項６】
前記押圧部は、前記端子金具の側面部に対面しかつ前記側面部の長手方向に略直交する方向に複数の凸部を設けたものである請求項５記載の表面実装型コイル部品。
【請求項７】
前記押圧部は、前記端子金具の側面部に対面しかつ前記側面部の長手方向に略直交する方向に連続した突条を設けたものである請求項５記載の表面実装型コイル部品。
【請求項８】
前記押圧部は、前記端子金具の側面部における長手方向の略中間位置を押圧する位置に設けられている請求項５，６又は７記載の表面実装型コイル部品。
【発明の詳細な説明】
【技術分野】
【０００１】
本発明は、磁性又は非磁性コアに巻線を施したＥＭＣフィルタ等の表面実装型（ＳＭＤタイプ）のコイル部品に関する。特に、使用環境の厳しい自動車等に好適で、ドラムタイプコアに電極となる端子金具を嵌合装着したものに巻線を行い、該端子金具の継線部に巻線の端末を機械的及び電気的にする構造において、前記端子金具のガタつきを解消して前記巻線の端末と前記端子金具側との接続の信頼性向上が図れる表面実装型コイル部品に関する。
【背景技術】
【０００２】
従来、この種の表面実装型コイル部品としては、ドラムタイプコアに電極となる端子金具を嵌合装着したものがある。例えば、角ドラムタイプコアの鍔部に対して、抜け止め部を有して嵌合装着された略コ字形状の端子金具を端部電極として用い、前記端子金具に継線部を設け、前記角ドラムタイプコアに巻線を行い、前記巻線の端末を前記継線部に接続して、表面実装型コイル部品としていた。
【０００３】
図５は略コ字形状の端子金具１のフェライトコア１０への取付構造の１例を示す。この場合、略コ字形状の端子金具１は角ドラムタイプコアであるフェライトコア１０の方形鍔部１１に嵌合装着されるものであり、抜け止め部として方形鍔部１１の裏側に折り返される折り返し部２と方形鍔部端面に形成された溝１２に嵌るポッチ部３とを有している。折り返し部２は方形鍔部端面から手前方向に引っ張る力に対する抜け防止であり、ポッチ部３は方形鍔部端面に沿って引っ張る力に対する抜け防止である。また、端子金具１の上面部には巻線端末のワイヤをかしめて止めるための継線部４が設けられている。
【０００４】
ところで、ドラムタイプコアに端部電極となる端子金具を嵌合で設ける構造を採用した場合、コアと端子金具間にわずかではあるが、ガタが生じる場合があり、巻線工程において巻線ワイヤを継線部に保持する時に、保持位置がばらつく可能性がある。
【０００５】
また、保持位置がばらつく場合、レーザ溶接で継線処理したときに、継線溶接の出来栄えにもばらつきが生じてしまう。ひいては、溶接不完全や断線等の不良を招いてしまう恐れがあった。例えば、図６（Ａ）のように巻線ワイヤ５が継線部４の下側でその基部（上面部から折り曲げられた部分）に近い所を通過し、かつワイヤ５先端の継線部４からの突出量が適正である場合、レーザ溶接は良好に行われる。しかし、図６（Ｂ）のように端子金具１のガタつきに起因する位置ずれでワイヤ５の先端が継線部４から突出できない場合にはレーザ溶接不良となる。また、図６（Ｃ）のように端子金具１のガタつきに起因する位置ずれでワイヤ５の通過位置が継線部４の先端側（カシメ側）に片寄ると、継線部４のカシメによりワイヤ５がつぶれて断線する恐れがでてくるとともに、レーザ溶接位置のずれも大きくなり、溶接不良となる可能性もある。
【０００６】
このような点は、とくに、継線部へのワイヤ引出を含む巻線工程の自動化を考慮した場合に重要な問題となる。
【０００７】
また、図７のように、略コ字形状の端子金具１の上面部及び底面部に抜け止め部としてのポッチ部６を設け、方形鍔部１１側の凹部１３に嵌合させる構造も考えられるが、この場合にも嵌合ガタ（図示した方向の他に紙面に垂直方向のガタも存在する）を解消することはやはり困難である。
【０００８】
なお、金属端子を有する面実装部品としては、下記特許文献１があるが、この金属端子は巻線端末を継線処理する機能は無く、また抜け防止部も有しないものであり、クリップ状の金属端子を絶縁基板側の電極にはんだ付けで固定することが前提となっている。また、下記特許文献２には２つのコアを組み合わせた状態で保持するための略コ字形状のコア組み合わせ部材が示されるが、これは端子金具を構成している訳ではなく、巻線端末を継線処理する機能は無い。
【０００９】
【特許文献１】実開平６−７０２０１号公報
【特許文献２】特開２００２−２５８２７号公報
【発明の開示】
【発明が解決しようとする課題】
【００１０】
本発明は、上記の問題に鑑みなされたものであって、電極となる端子金具をコアに嵌合装着する構造であっても前記端子金具のガタつきを無くし、ワイヤ接続部の信頼性向上が図れる表面実装型コイル部品を提供することを目的とする。
【課題を解決するための手段】
【００１１】
上記目的を達成するために、本発明に係る表面実装用コイル部品は、磁性又は非磁性コアの端部に端子金具を嵌合して設け、前記コアに巻回された巻線の端末を前記端子金具に接続した構成であって、前記端子金具は第１の折曲部及び第２の折曲部及び該第１及び第２の折曲部を連絡する側面部とを有しかつ前記第１及び第２の折曲部が相互に対向した形状で、前記巻線の端末を機械的及び電気的に接続する継線部を有し、前記コアの端部に対する抜け止め部を前記第１及び第２の折曲部に備えるとともに、前記側面部には前記コアの端部を押圧する押圧部を備えることを特徴としている。
このように、磁性又は非磁性コアの端部に端子金具を嵌合して設ける構造とし、かつ該端子金具側に当該端子金具のガタつきを無くす押圧部を備えるようにしたので、前記端子金具の位置ずれを防止できる。
【００１２】
このため、前記端子金具の継線部に巻線端末のワイヤを通して仮固定する構造とした場合、ワイヤ仮固定位置のずれを防止でき、前記継線部に対するワイヤ位置ずれやカシメ不良、ひいてはワイヤを溶接する場合には溶接不良を大幅に低減できる。
【００１３】
前記押圧部は、前記コアの端部に対面して前記側面部の長手方向に略直交する方向に複数の凸部を設けたものであってもよい。
【００１４】
前記押圧部は、前記コアの端部に対面して前記側面部の長手方向に略直交する方向に連続した突条を設けたものであってもよい。
【００１５】
前記複数の凸部又は突条を前記端子金具に設けた構成により、前記第１及び第２の折曲部の抜け止め部を中心軸とする回転方向のガタが抑制される。例えば、図２（Ｂ）のポッチ部３１（上下にある）を抜け止め部として設けた場合、ポッチ部３１を結ぶ線を軸とした回転方向のガタ防止を図ることができる。なお、突条は線状に連続する突起である。
【００１６】
さらに、前記押圧部は、前記側面部における長手方向の略中間に位置していることが好ましい。
【００１７】
前記押圧部は、前記側面部における長手方向の略中間に位置していることで、前記コアに対して押圧する力を均等に分散させることができる。
【００１８】
もう１つの本発明に係る表面実装用コイル部品は、磁性又は非磁性コアの端部に端子金具を嵌合して設け、前記コアに巻回された巻線の端末を前記端子金具に接続した構成であって、前記端子金具は第１の折曲部及び第２の折曲部及び該第１及び第２の折曲部を連絡する側面部とを有しかつ前記第１及び第２の折曲部が相互に対向した形状で、前記巻線の端末を機械的及び電気的に接続する継線部を有し、前記コアの端部に対する抜け止め部を前記第１及び第２の折曲部に備えるとともに、前記コアの端部には前記端子金具を押圧する押圧部を備えることを特徴としている。
【００１９】
このように、磁性又は非磁性コアの端部に端子金具を嵌合して設ける構造とし、かつ該コアの端部側に当該端子金具のガタつきを無くす押圧部を備えるようにしたので、前記端子金具の位置ずれを防止できる。
【００２０】
このため、前記端子金具の継線部に巻線端末のワイヤを通して仮固定する構造とした場合、ワイヤ仮固定位置のずれを防止でき、前記継線部に対するワイヤ位置ずれやカシメ不良、ひいてはワイヤを溶接する場合には溶接不良を大幅に低減できる。
【００２１】
前記押圧部は、前記端子金具の側面部に対面しかつ前記側面部の長手方向に略直交する方向に複数の凸部を設けたものであってもよい。
【００２２】
前記押圧部は、前記端子金具の側面部に対面しかつ前記側面部の長手方向に略直交する方向に連続した突条を設けたものであってもよい。
【００２３】
前記複数の凸部又は突条を前記コアの端部に設けた構成により、前記第１及び第２の折曲部の抜け止め部を中心軸とする回転方向のガタが抑制される。
【００２４】
また、前記コアの端部に設けた前記押圧部は、前記端子金具の側面部における長手方向の略中間位置を押圧する位置に設けられていることが好ましい。
【００２５】
前記コアの端部に設けた前記押圧部は、前記側面部における長手方向の略中間位置を押圧する位置に設けられていることで、前記端子金具に対して押圧する力を均等に分散させることができる。
【発明の効果】
【００２６】
本発明に係る表面実装型コイル部品によれば、磁性又は非磁性コアの端部に端子金具を嵌合して設ける構造とし、かつ該端子金具又はコア側に当該端子金具のガタつきを無くす押圧部を備えるようにしたので、前記端子金具の位置ずれを防止できる。
【００２７】
このため、前記端子金具の継線部に巻線端末のワイヤを通して仮固定する構造とした場合、ワイヤ仮固定位置のずれを防止でき、前記継線部に対するワイヤ位置ずれやカシメ不良、さらにワイヤを溶接で接続する場合には、溶接不良を大幅に低減できる。
【発明を実施するための最良の形態】
【００２８】
以下、本発明を実施するための最良の形態として、表面実装型コイル部品の実施の形態を図面に従って説明する。
【００２９】
図１及び図２で本発明に係る表面実装型コイル部品の実施の形態１を説明する。図１（Ａ）は表面実装型コイル部品の磁気コア（磁性コア）に端子金具を装着する場合における、磁気コア側及び端子金具側の抜け止め部、及び端子金具側の押圧部（ガタ吸収部）の構造、同図（Ｂ）は表面実装型コイル部品の磁気コアに端子金具を装着した状態、同図（Ｃ）は磁気コアに巻線を施して巻線端末を端子金具に係止した状態、（Ｄ）は継線部を溶接した状態をそれぞれ示す。また、図２（Ａ）は磁気コアに対する端子金具の装着状態を示す断面図、同（Ｂ）は平面図である。
【００３０】
ここで使用する磁気コアとしての角ドラムタイプのフェライトコア（以下、フェライト・ドラムコアという）２１は、図１（Ａ）,（Ｂ）のように、巻芯部２２の両側にコアの板状端部となる方形鍔部２３を形成したものである。また、方形鍔部２３の両端部に位置する端子金具３０の装着部分には、図１（Ａ）,（Ｂ）のように、方形鍔部２３の内側面に当該方形鍔部２３の肉厚を薄くするための段部２４を形成してある。なお、フェライト・ドラムコア２１の形状寸法は、例えば長Ｌが４.５mm、幅Ｗが３.２mm、高さＴが２mmである。
【００３１】
端子電極となる端子金具３０は、燐青銅、真鍮等の銅合金であって、略コ字形状に折り曲げ成形されており、図１（Ａ）,（Ｂ）のように、側面部３０ａ、第１の折曲部としての上面部３０ｂ、第２の折曲部としての底面部３０ｃを有し、相互に対向する上面部３０ｂと底面部３０ｃとを側面部３０ａで連絡した構造である。また、図１（Ａ）及び図２（Ａ）,（Ｂ）のように上面部３０ｂ及び底面部３０ｃの内面には金具側抜け止め部としてのポッチ部（内面側に突出した凸部）３１が形成されており、前記方形鍔部２３の上下面に形成されたコア側抜け止め部としての凹部２５に嵌合可能となっている。さらに、前記上面部３０ｂには逆Ｌ字状折り曲げ部分からなる継線部３２が一体に折り曲げ形成されている。継線部３２は巻線ワイヤの挿入の便宜のために、方形鍔部２３の先端方向に向いて開いている（先端方向の反対向きに開いていてもよい。）。
【００３２】
前記端子金具３０を方形鍔部２３に装着すると、前記コア側抜け止め部としての凹部２５と金具側抜け止め部としてのポッチ部３１との嵌合により、端子金具３０の方形鍔部２３からの外れを防止できるが、図７の説明で述べたように、抜け止め部のみでは方形鍔部２３に対する端子金具３０の嵌合ガタが生じる。このため、図２（Ａ）,（Ｂ）のように端子金具３０の側面部３０ａ内側に左右に離間させて複数（２個以上）の押圧部（ガタ吸収部）としてのポッチ部（内面側に突出した凸部）３３を形成している。
【００３３】
従って、図１（Ｂ）及び図２（Ａ）,（Ｂ）のように端子金具３０を方形鍔部２３に嵌合、装着したときに、押圧部（ガタ吸収部）としてのポッチ部３３が方形鍔部２３の端面を押圧することになり、方形鍔部２３との嵌合ガタを、抜け止め部のポッチ部３１と押圧部のポッチ部３３間の端子金具３０のバネ性とポッチ部３３の高さにより吸収して、端子金具３０のガタつき及び位置ずれを無くすことができる。このとき、押圧部としてのポッチ部３３は、端子金具３０の側面部３０ａにおける長手方向（高さ方向）の略中間に位置している方がバネ性を大きく取れ有効であり、また、前記コアに対して押圧する力を均等に分散させることができる。なお、端子金具３０の幅は例えば０.５〜１mm、板厚は０.０８〜０.１mmである。また、コア側及び金具側に抜け止め部を形成したことにより、端子金具３０の取り付けに接着剤は併用しない。
【００３４】
上記のように端子金具３０を方形鍔部２３に嵌合装着した後、図１（Ｃ）のようにフェライト・ドラムコア２１の巻芯部２２の周囲に、ウレタン線等の絶縁被覆線を用いて一対の巻線３５Ａ，３５Ｂが巻回される。例えば、コモンモードフィルタ等のコモンモードコイル部品の場合、巻芯部２２の周囲に巻線３５Ａが下層、巻線３５Ｂが上層となるように同じ巻数で巻回する。巻線３５Ａの端末ワイヤは、例えば、方形鍔部２３の左側の端子金具３０の継線部３２に引掛け、継線部３２をかしめることで圧着仮固定される。同様に、巻線３５Ｂのワイヤ端末は、方形鍔部２３の右側の端子金具３０の継線部３２に引掛け、継線部３２をかしめることで圧着仮固定される。このとき、端子金具３０のガタ、位置ずれは生じないので、図６（Ａ）のようにワイヤ５は端子金具３０の継線部３２に対して適正位置に引き出される。すなわち、ワイヤ５が継線部３２の下側でその基部（上面部から折り曲げられた部分）に近い所を通過し、かつワイヤ５先端の継線部３２からの突出量を適正値に設定可能である。
【００３５】
その後、前記ワイヤ端末と端子金具３０の継線部３２との接続をレーザ溶接又はアーク溶接で行い、図１（Ｄ）のように、継線部３２の少なくとも一部を溶融させて溶接部Ｐとして、継線部３２とワイヤの導体部分（銅線部分）とを機械的及び電気的に接続する。
【００３６】
これによって、一対の巻線３５Ａ，３５Ｂをフェライト・ドラムコア２１に設けた表面実装型コイル部品が得られる。
【００３７】
この実施の形態１によれば、次の通りの効果を得ることができる。
【００３８】
(1)  従来の端子金具が抜け防止部のみを有する図７の場合は、嵌合ガタが生じることがあるため、巻線端末のワイヤ５を仮固定する場合、端子金具位置やワイヤ仮固定位置がばらつき、ワイヤ位置ずれやカシメ不良が発生し、図１（Ｄ）の溶接時にもワイヤ位置ずれに起因する溶接不良を招いてしまう恐れがあったが、本実施の形態では図２に示したガタ吸収のためのポッチ部３３により端子金具３０のガタつきを防止しているため、端子金具位置やワイヤ仮固定位置を一定に維持でき、ワイヤ位置ずれやカシメ不良、溶接不良を大幅に低減できる。
【００３９】
(2)  ポッチ部３３が端子金具３０の長手方向の略中間位置に複数個形成され、かつ長手方向に略直交する方向に配置されているため、図２（Ｂ）の端子金具３０の上下に位置するポッチ部３１を中心軸とした回転方向のガタ、位置ずれも確実に防止できる。
【００４０】
(3)  端子金具３０の実装部となる底面側を配線基板にはんだ付けで搭載したときに、ドラムコア２１の材質であるフェライトと基板材質間の熱膨張係数の差により、コア２１と基板間に大きなストレスが生じるが、本実施の形態では、ドラムコア２１に端部電極としての端子金具３０が嵌合により装着されているため、ドラムコア２１と基板間のストレスを大きく吸収し、電極剥離やはんだクラック、コアクラック等の発生する問題がなくなる。
【００４１】
(4)  端子金具３０の接着の必要もなく、端子金具接着作業の手間がなくコスト低減を図ることができる。
【００４２】
(5)  端子金具３０の継線部３２に対してワイヤ５をレーザ溶接やアーク溶接で機械的及び電気的に接続しているので、ワイヤ接続部も実装時等の熱で溶融劣化することはない。この結果、実装部と接続部の信頼性向上が図れる表面実装型コイル部品を実現できる。
【００４３】
図３は本発明に係る表面実装型コイル部品のその他の実施の形態であって、（Ａ）は実施の形態２、（Ｂ）は実施の形態３、（Ｃ）は実施の形態４を示す。
【００４４】
図３（Ａ）の実施の形態２では、端子金具３０の押圧部（ガタ吸収部）としてドラムコア２１の方形鍔部２３の端面に対面して左右方向に連続する突条（ビード状凸部）４０を側面部３０ａの長手方向の略中間位置に設けている。この場合、突条４０が方形鍔部２３の端面を押圧することで端子金具３０のガタつきを防止できる。
【００４５】
図３（Ｂ）の実施の形態３では、端子金具３０側の抜け止め部として上面部３０ｂに抜け止めフック部（湾曲部）４１を形成し、フェライト・ドラムコア２１の方形鍔部２３の上面縁部に、コア側抜け止め部としての抜け止め溝２６を形成している（図示しないが、端子金具３０の底面部にもフック部が、方形鍔部２３の底面縁部にも抜け止め溝を形成している。）。そして、端子金具３０の方形鍔部２３への装着時に、端子金具３０の弾性により上面部及び底面部の先端側に形成された抜け止めフック部４１は方形鍔部側の抜け止め溝２６に嵌合する。
【００４６】
図３（Ｃ）の実施の形態４では、端子金具３０側の抜け止め部として上面部３０ｂに抜け止め穴４２を形成し、フェライト・ドラムコア２１の方形鍔部２３の上面に、コア側抜け止め部としての抜け止めポッチ部２７を形成している（図示しないが、端子金具３０の底面部にも抜け止め穴が、方形鍔部２３の底面にも抜け止めポッチ部を形成している。）。そして、端子金具３０の方形鍔部２３への装着時に、端子金具３０の弾性により上面部及び底面部の先端側に形成された抜け止め穴４２は方形鍔部側の抜け止めポッチ部２７に嵌合する（換言すれば、抜け止め穴４２にポッチ部２７が嵌り込む）。
【００４７】
なお、実施の形態２乃至４において、継線部は端子金具３０の上面部３０ｂに形成されるが、図示は省略した。また、実施の形態２乃至４のその他の構成は前述した実施の形態１と同様であり、同一又は相当部分に同一符号を付して説明を省略する。
【００４８】
図４は本発明に係る表面実装型コイル部品のその他の実施の形態であって、（Ａ）は実施の形態５、（Ｂ）は実施の形態６を示し、いずれも押圧部（ガタ吸収部）をフェライト・ドラムコア２１の方形鍔部２３側に設けた構成である。
【００４９】
図４（Ａ）の実施の形態５では、コア側の押圧部（ガタ吸収部）としてドラムコア２１の板状端部となる方形鍔部２３の端面に左右方向に離間した複数（２個以上）のポッチ部５０を形成している。左右のポッチ部５０は方形鍔部２３の端面における長手方向の略中間に位置しており、端子金具３０（ここでは端子金具側にはガタ吸収部は無い）が嵌合、装着されたときに端子金具３０の側面部３０ａ内面（その長手方向略中間位置）を押圧することで、ガタ防止が可能であり、端子金具３０に対して押圧する力を均等に分散させることができる。
【００５０】
図４（Ｂ）の実施の形態６では、コア側の押圧部（ガタ吸収部）としてドラムコア２１の方形鍔部２３の端面に左右方向に連続した突条（ビード状凸部）６０を形成している。前記突条６０は方形鍔部２３の端面における長手方向の略中間に位置しており、端子金具３０（ここでは端子金具側にはガタ吸収部は無い）が嵌合、装着されたときに端子金具３０の側面部３０ａ内面を押圧することで、ガタ防止が可能である。
【００５１】
なお、実施の形態５乃至６のその他の構成は前述した実施の形態１と同様であり、同一又は相当部分に同一符号を付して説明を省略する。
【００５２】
なお、各実施の形態において、磁気コアとしてフェライトコアを例示したが、他の磁性材料のコアでもよく、非磁性のセラミックコア等を用いてもよい。
【００５３】
以上本発明の実施の形態について説明してきたが、本発明はこれに限定されることなく請求項の記載の範囲内において各種の変形、変更が可能なことは当業者には自明であろう。
【図面の簡単な説明】
【００５４】
【図１】本発明に係る実施の形態１の表面実装型コイル部品であって、（Ａ）は磁気コア側及び端子金具側の抜け止め部の構造を示す分解斜視図、（Ｂ）は表面実装型コイル部品の磁気コアに端子金具を装着した状態を示す斜視図、（Ｃ）は磁気コアに巻線を施して巻線端末を端子金具に係止した状態を示す斜視図、（Ｄ）は継線部を溶接した状態を示す斜視図である。
【図２】本発明の実施の形態１における磁気コアへの端子金具の取付構造部分であって、（Ａ）は側断面図、（Ｂ）は平面図である。
【図３】本発明のその他の実施の形態における磁気コアへの端子金具の取付構造部分であって、（Ａ）は実施の形態２の場合の分解斜視図、（Ｂ）は実施の形態３の場合の分解斜視図、（Ｃ）は実施の形態４の場合の分解斜視図である。
【図４】本発明のその他の実施の形態における磁気コアへの端子金具の取付構造部分であって、（Ａ）は実施の形態５の場合の分解斜視図、（Ｂ）は実施の形態６の場合の分解斜視図である。
【図５】従来技術における磁気コアへの端子金具の取付構造部分を示す分解斜視図である。
【図６】端子金具の継線部に対する巻線端末のワイヤの引出状態であって、（Ａ）はワイヤの引出状態が適正である場合、（Ｂ）はワイヤの引出状態が不適当でレーザ溶接不良の恐れがある場合、（Ｃ）はワイヤの引出状態が不適当でワイヤ断線不良の恐れがある場合をそれぞれ示す平面図である。
【図７】ガタ吸収部の無い端子金具を磁気コアに嵌合、装着したときのガタ発生を説明する断面図である。
【符号の説明】
【００５５】
１，３０  端子金具
３，６，２７，３１，３３，５０  ポッチ部
４，３２  継線部
５  ワイヤ
１０，２１  フェライトコア
１１，２３  方形鍔部
１２  溝
２２  巻芯部
２４  段部
２５  凹部
２６  抜け止め溝
３０ａ  側面部
３０ｂ  上面部
３０ｃ  底面部
３５Ａ，３５Ｂ  巻線
４０，６０  突条
４１  フック部
４２  抜け止め穴
【図１】
2005317577.tif 000003
【図２】
2005317577.tif 000004
【図３】
2005317577.tif 000005
【図４】
2005317577.tif 000006
【図５】
2005317577.tif 000007
【図６】
2005317577.tif 000008
【図７】
2005317577.tif 000009